(57)【要約】      （修正有）【課題】散水管をより高速で往復させることができるとともに、そうした場合でも故障発生を低減させることができるように構成されたスイング式散水装置を提供する。【解決手段】スイング式散水装置１は、複数の散水部１０ａ、１０ｂと、複数の散水部に洗浄水を供給する給水部２０と、複数の散水部１０ａ、１０ｂの各々を独立に動作させる駆動機構３０とを備え、複数の散水部１０ａ、１０ｂの各々は、１つ又は複数の散水管と、１つ又は複数の散水管１１ａ、１１ｂの各々の一方の端部が連通接続されており、駆動機構３０によって長さ方向の軸の周りに回転可能となるように支持されたヘッダ管１３ａ、１３ｂとを有し、複数の散水部の１０ａ、１０ｂは、それぞれのヘッダ管１３ａ、１３ｂの軸が一直線上に位置するように配置されている。【選択図】図１
2019024337.tif 000002
【特許請求の範囲】
【請求項１】
対象物を洗浄するために対象物に向けて洗浄水を散布する散水装置であって、
複数の散水部と、
前記複数の散水部に洗浄水を供給する給水部と
前記複数の散水部の各々を独立に動作させる駆動機構と
を備え、
前記複数の散水部の各々は、
１つ又は複数の散水管と、
前記１つ又は複数の散水管の各々の一方の端部が連通接続されており、前記駆動機構によって長さ方向の軸の周りに回転可能となるように支持されたヘッダ管と
を有し、
前記複数の散水部の各々は、それぞれの前記ヘッダ管の前記軸が一直線上に位置するように配置されている、散水装置。
【請求項２】
前記給水部は、前記複数の散水部の間から前記複数の散水部の各々に洗浄水を供給する、請求項１に記載の散水装置。
【請求項３】
前記駆動機構は、前記複数の散水部の動作によって生じる負荷変動を平準化するように前記複数の散水部を動作させる、請求項１又は請求項２に記載の散水装置。
【請求項４】
前記駆動機構は、回転運動を往復運動に変換するためのクランク機構を含む動力伝達部を有し、
前記駆動機構によって発生する動力は、前記動力伝達部を介して、前記複数の散水部の各々を前記ヘッダ管の回転の位相が互いに異なるように動作させる、請求項１から請求項３までのいずれか１項に記載の散水装置。
【請求項５】
前記ヘッダ管の回転の位相が互いに２分の１周期分異なるように動作する２つの前記散水部を備えた、請求項４に記載の散水装置。
【請求項６】
前記複数の散水部の散水管の数が同数である、請求項１から請求項５までのいずれか１項に記載の散水装置。
【請求項７】
請求項１から請求項６までのいずれか１項に記載の散水装置を備えた、貝類養殖かごの洗浄機。
【発明の詳細な説明】
【技術分野】
【０００１】
本発明は、貝類の養殖カゴに付着した付着物を洗浄するための技術に関する。
【背景技術】
【０００２】
例えばホタテ貝などの貝類の養殖に用いられる養殖かごは、長期間海中に配置されると、海藻、雑貝類及びその他の付着物によって汚染されるため、洗浄する必要がある。養殖かごの洗浄は、一般にネットクリーナと呼ばれる洗浄装置を用いて行う場合と、ローラークリーナと呼ばれる洗浄装置を用いて行う場合とがある。
【０００３】
ネットクリーナは、コンベア上に載置された養殖かごに対して上方から高圧水を噴射することによって、養殖カゴの付着物を洗浄する洗浄装置である。ローラークリーナは、上下に対向して配置された複数のローラの間に養殖カゴを送り込み、ローラとローラとの間で養殖かごが露出したときに高圧水を噴射することによって、養殖かごの付着物を洗浄する洗浄装置である。これらの洗浄装置において、ネットクリーナでは、通常、高圧水を噴射する装置としてスイング式散水装置又は回転式散水装置が用いられ、ローラークリーナではスイング式散水装置が用いられる。
【０００４】
スイング式散水装置が設けられた洗浄装置として、例えば特許文献１及び特許文献２に記載の技術が提案されている。これらの洗浄装置において用いられているスイング式散水装置は、例えばローラークリーナについての発明である特許文献２の図１に示されているように、一般に、高圧水を噴射する複数の散水管（特許文献２におけるノズル管）と、複数の散水管が直交して接続されたヘッダ管（同、回動管）とを有する。ヘッダ管として、高圧水にも耐えられるように肉厚の管が用いられることが多い。複数の散水管は、その長さ方向が養殖かごの上面に向くように配置されている。この洗浄装置では、モータを用いてヘッダ管を長さ方向の軸周りに回転させることによって、散水管を養殖かごの進行方向（回動管の長さ方向）に対して直交する方向に往復させ、養殖かごに高圧水を当てて洗浄する。
【先行技術文献】
【特許文献】
【０００５】
【特許文献１】特開２００４−０５８０３６号公報
【特許文献２】特開２００２−１９１２５４号公報
【発明の概要】
【発明が解決しようとする課題】
【０００６】
スイング式散水装置は、養殖かごの移動速度が同じであれば散水管の単位時間あたりのスイング回数（ヘッダ管の回転にともなって散水管が一方から他方へ移動する回数）が多いほど付着物の洗浄効果は高いが、故障回数も増加する。従来の市販装置では、スイング回数を毎分３００回程度まで増加させると付着物の洗浄効果は格段に高まるが、一方で、スイング回数が概ね毎分２５０回を超えると故障が増えるという問題がある。スイング式散水装置の故障として発生する現象は、回転によるヘッダ管の割れ、ベアリングの破損、散水管の折れ、モータのオイル漏れと内部ギヤの破損などである。ヘッダ管の割れや散水管の折れに対応するために強度を高めるためには、散水装置全体の重量を増加させざるを得ず、そうすると重量増に起因する故障がさらに発生することになる。
【０００７】
これらの故障は、重量がある構造体、すなわち肉厚のヘッダ管とそれに接続された複数の散水管とによって構成される構造体を、ヘッダ管の長さ方向に伸びる軸の周りに高速で往復運動させていることによって生じる慣性に起因するものと考えられる。散水管が１往復する間に散水管の進行方向が2回変化するため、散水管１往復につき２回の負荷変動が生じ、この負荷変動により構造体に振動が発生するとともに、この振動は装置全体に伝達する。構造体に振動が発生すると、部品の摩耗が早まり、摩耗によりさらに振動が大きくなり、最終的にいずれかの箇所における破壊に至ると考えられる。
【０００８】
したがって、故障が発生しにくく、かつ養殖かご洗浄効果の高い、スイング式散水装置が望まれている。
本発明は、散水管をより高速で往復させることができるとともに、そうした場合でも故障発生を低減させることができるように構成されたスイング式散水装置を提供することを課題とする。
【課題を解決するための手段】
【０００９】
一態様によれば、本発明は、対象物を洗浄するために対象物に向けて洗浄水を散布する散水装置を提供する。散水装置は、複数の散水部と、複数の散水部に洗浄水を供給する給水部と、複数の散水部の各々を独立に動作させる駆動機構とを備える。複数の散水部の各々は、１つ又は複数の散水管と、１つ又は複数の散水管の各々の一方の端部が連通接続されており、駆動機構によって長さ方向の軸の周りに回転可能となるように支持されたヘッダ管とを有する。複数の散水部の各々は、それぞれのヘッダ管の軸が一直線上に位置するように配置されている。
【００１０】
一実施形態においては、給水部は、複数の散水部の間から複数の散水部の各々に洗浄水を供給することが好ましい。また、駆動機構は、複数の散水部の動作によって生じる負荷変動を平準化するように複数の散水部を動作させることが好ましい。
【００１１】
一実施形態においては、駆動機構は、クランク機構を含む動力伝達部を有しており、駆動機構によって発生する動力は、動力伝達部を介して、複数の散水部の各々をヘッダ管の回転の位相が互いに異なるように動作させる。一実施形態においては、散水装置は、２つの散水部を備えており、それぞれの散水部は、ヘッダ管の回転の位相が互いに２分の１周期分異なるように動作することが好ましい。一実施形態においては、複数の散水部の散水管の数が同数であることが好ましい。
【００１２】
別の態様によれば、本発明は、上述の散水装置を備えた貝類養殖かごの洗浄機を提供する。  
【発明の効果】
【００１３】
本発明によれば、スイング式散水装置は、直線状に配置された複数の散水部を備え、各々の散水部が独立に動作するように構成されているため、散水部の各々の重量を低減させることができ、各々の散水部をより高速で動作させることができる。また、本発明にかかるスイング式散水装置においては、複数の散水部の各々を、それらの動作によって生じる負荷変動を平準化させるように動作させることによって、装置全体の振動や脈動を抑制し、負荷変動に起因する故障の発生を低減させることができる。さらに、散水部の各々の重量を低減させることにより、散水部の支持部におけるベアリングにかかる負担が小さくなり重量物の動作に起因する故障の発生を低減させることができるとともに、モータ出力を低減させて省エネルギー型の装置とすることができる。
【図面の簡単な説明】
【００１４】
【図１】本発明の一実施形態に係るスイング式散水装置の概略的な斜視図を示す。
【図２】本発明の一実施形態に係るスイング式散水装置の使用例を示す。
【発明を実施するための形態】
【００１５】
以下、図面を参照しながら、本発明を詳細に説明する。
【００１６】
図１は、本発明の一実施形態によるスイング式散水装置を示す。スイング式散水装置１は、第１の散水部１０ａと、第２の散水部１０ｂと、給水部２０と、駆動機構３０と、第１の散水部１０ａ及び第２の散水部１０ｂのそれぞれを回転可能に支持する支持部４０ａ、４１ａ、４０ｂ、４１ｂとを備える。スイング式散水装置１は、第１の散水部１０ａ及び第２の散水部１０ｂから、対象物に向けて、好ましくは高圧の洗浄水を噴射することにより、対象物の付着物を洗浄することができる。本装置によって洗浄される洗浄物として、例えば貝類の養殖に用いられる養殖カゴが想定されているが、これに限定されるものではない。
【００１７】
給水部２０には、洗浄水Ｗが供給される。洗浄水Ｗは、水に限定されるものではなく、例えば水と洗浄液とを混合させた液体や、洗浄液単体であってもよい。洗浄水Ｗは、例えばコンプレッサ（図示せず）などを用いて高圧水として給水部２０に供給されることが好ましい。洗浄水Ｗは、給水部２０から第１の散水部１０ａ及び第２の散水部１０ｂに供給されて、第１及び第２の散水部１０ａ、１０ｂからベルトコンベア上の養殖かごに向けて噴射され、養殖かごの付着物を除去する。第１の散水部１０ａ及び第２の散水部１０ｂは、駆動機構３０によってそれぞれ独立に動作させることができる。第１及び第２の散水部１０ａ、１０ｂをそれぞれ独立に駆動させることによって、各々の散水部１０ａ、１０ｂの動作によって生じる負荷変動を平準化させることができる。
【００１８】
第１の散水部１０ａは、好ましくは平行に配置された２本の散水管１１ａ、１２ａを有する。散水管１１ａ、１２ａは、限定されるものではないが、高圧水の圧力に耐えられるように強度のある鋼管を用いることが好ましい。散水管１１ａ、１２ａは、一方の端部にノズル１１２ａ、１２２ａを有しており、好ましくは高圧状態にされた洗浄水Ｗが、このノズル１１２ａ、１２２ａから噴射される。散水管１１ａ、１２ａの他方の端部１１１ａ、１２１ａは、ヘッダ管１３ａの側面に、例えば溶接などによって接続されている。散水管１１ａ、１２ａとヘッダ管１３ａとは、好ましくは直交して接続されており、洗浄水Ｗが通るように内部において連通している。
【００１９】
ヘッダ管１３ａは、２本の散水管１１ａ、１２ａと直交するように配置されている。ヘッダ管１３ａは、限定されるものではないが、洗浄水Ｗが高圧水の場合でもその圧力に耐えられるように、強度のある鋼管を用いることが好ましい。
【００２０】
ヘッダ管１３ａは、その長さ方向にみて２本の散水管１１ａ、１２ａの外方において、例えばベアリング機構を有する支持部４０ａ、４１ａによって支持されており、ヘッダ管１３ａの長さ方向の軸の周りに回転可能である。支持部４０ａ、４１ａは、スイング式散水装置１を載置する洗浄機（図１においては図示されていない）に固定されることになる。支持部４０ａ、４１ａがヘッダ管１３ａを支持する位置は、図１に示される位置（すなわち、散水管１１ａ、１２ａの外方）に限定されるものではなく、ヘッダ管１３ａが安定して滑らかに軸の周りに回転可能であればよく、例えば散水管１１ａと１２ａとの間でもよい。
【００２１】
第２の散水部１０ｂは、好ましくは平行に配置された２本の散水管１１ｂ、１２ｂを有する。散水管１１ｂ、１２ｂは、限定されるものではないが、高圧水の圧力に耐えられるように強度のある鋼管を用いることが好ましい。散水管１１ｂ、１２ｂは、一方の端部にノズル１１２ｂ、１２２ｂを有しており、好ましくは高圧状態とされた洗浄水Ｗが、このノズル１１２ｂ、１２２ｂから噴射される。散水管１１ｂ、１２ｂの他方の端部１１１ｂ、１２１ｂは、ヘッダ管１３ｂの側面に、例えば溶接などによって接続されている。散水管１１ｂ、１２ｂとヘッダ管１３ｂとは、好ましくは直交して接続されており、洗浄水Ｗが通るように内部において連通している。
【００２２】
ヘッダ管１３ｂは、２本の散水管１１ｂ、１２ｂと直交するように配置されている。ヘッダ管１３ｂは、限定されるものではないが、洗浄水Ｗが高圧水の場合でもその圧力に耐えられるように、強度のある鋼管を用いることが好ましい。
【００２３】
ヘッダ管１３ｂは、その長さ方向にみて２本の散水管１１ｂ、１２ｂの外方において、例えばベアリング機構を有する支持部４０ｂ、４１ｂによって支持されており、ヘッダ管１３ｂの長さ方向の軸の周りに回転可能である。支持部４０ｂ、４１ｂは、スイング式散水装置１を載置する洗浄機（図１においては図示されていない）に固定されることになる。支持部４０ｂ、４１ｂがヘッダ管１３ｂを支持する位置は、図１に示される位置（すなわち、散水管１１ｂ、１２ｂの外方）に限定されるものではなく、ヘッダ管１３ｂが安定して滑らかに軸の周りに回転可能であればよく、例えば散水管１１ｂと１２ｂとの間でもよい。
【００２４】
ヘッダ管１３ａとヘッダ管１３ｂとは、ヘッダ管１３ａの長さ方向の軸とヘッダ管１３ｂの長さ方向の軸とが一直線上に位置するように配置される。一実施形態においては、このように配置されたヘッダ管１３ａ、１３ｂの向かい合う端部に、洗浄水Ｗをヘッダ管１３ａ、１３ｂに供給する給水部２０が接続されている。給水部２０は、給水管２１と、自在継手２２とを有するものとすることができる。
【００２５】
図１の実施形態においては、給水管２１には一方の端部から、好ましくは高圧の洗浄水Ｗが導入され、他方の端部には自在継手２２が接続されている。給水管２１は、限定されるものではないが、洗浄水が高圧水の場合でもその圧力に耐えられるように、強度のある鋼管を用いることが好ましい。
【００２６】
自在継手２２は、その側面において給水管２１と連通し、両端部においてそれぞれヘッダ管１３ａ及びヘッダ管１３ｂと連通する。自在継手２２とヘッダ管１３ａ、１３ｂとの接続部においては、ヘッダ管１３ａ、１３ｂは、自在継手２２に対して軸周りに自由に回転するように接続されている。自在継手２２は、洗浄水Ｗが高圧水の場合でもその圧力に耐えられるように、強度のある鋼管が用いられていることが好ましく、ヘッダ管１３ａ、１３ｂとの接続部は、洗浄水Ｗが漏れないように止水リングなどによって止水されていることが好ましい。                                                            
【００２７】
スイング式散水装置１は、第１の散水部１０ａ及び第２の散水部１０ｂを、それぞれ独立に動作させるための駆動機構３０をさらに備える。駆動機構３０は、動力源としてのモータ３１と、モータ３１の動力を第１の散水部１０ａ及び第２の散水部１０ｂに伝達するための動力伝達部とを有する。駆動機構３０によって発生する動力は、動力伝達部を介して、第１の散水部１０ａ及び第２の散水部１０ｂの各々を、ヘッダ管１３ａ、１３ｂの回転の位相が互いに異なるように動作させる。
【００２８】
モータ３１は、モータの両側部から動力を出力することができる直交軸タイプのギヤードモータを１台用いることが好ましいが、用いられるモータの種類及び数はこれに限定されるものではない。例えば、散水部１０の数に対応する数のモータ３１を備え、それぞれのモータ３１によって対応する散水部１０を別個に動作させることもできる。この場合には、複数の散水部１０の各々によって発生する負荷変動が全体として小さくなるように、複数のモータ３１間の動作を制御することが好ましい。
【００２９】
モータ３１の動力を第１の散水部１０ａ及び第２の散水部１０ｂに伝達するための動力伝達部は、クランク円板３２ａ、３２ｂと、クランク軸３３ａ、３３ｂと、コネクティングロッド３４ａ、３４ｂと、クランクアーム３５ａ、３５ｂとを有する。クランク円板３２ａ、３２ｂは、モータ３１の両端に設けられた出力軸に取り付けられる。クランク円板３２ａ、３２ｂの各々の外周近くにクランク軸３３ａ、３３ｂが設けられており、クランク軸３３ａ、３３ｂの各々にはコネクティングロッド３４ａ、３４ｂが接続される。コネクティングロッド３４ａ、３４ｂの各々と、ヘッダ管１３ａ、１３ｂとは、クランクアーム３５ａ、３５ｂによって接続される。
【００３０】
ここで、駆動機構３０による第１の散水部１０ａ及び第２の散水部１０ｂの動作を説明する。まず、モータ３１の動力は、その両側部に設けられた出力軸に取り付けられたクランク円板３２ａ、３２ｂに伝達される。クランク円板３２ａのクランク軸３３ａと、クランク円板３２ｂのクランク軸３３ｂとは、図１に示されるように、互いに１８０度ずれた位置関係となるように設けられている。
【００３１】
クランク円板３２ａ、３２ｂからクランク軸３３ａ、３３ｂに伝達された動力は、次に、コネクティングロッド３４ａ、３４ｂに伝達される。クランク軸３３ａとクランク軸３３ｂの位置関係は互いに１８０度ずれているため、クランク軸３３ａに接続されたコネクティングロッド３４ａと、クランク軸３３ｂに接続されたコネクティングロッド３４ｂは、互いに逆の動きとなる。すなわち、コネクティングロッド３４ａが、前方（すなわち、クランクアーム３５ａを押す向き）に移動するときには、コネクティングロッド３４ｂは、後方（すなわち、クランクアーム３５ｂを引く向き）に移動することになる。
【００３２】
コネクティングロッド３４ａの動きは、ヘッダ管１３ａに接続されたクランクアーム３５ａに伝達され、ヘッダ管１３ａをその長さ方向の軸の周りに回転させる。同様に、コネクティングロッド３４ｂの動きは、ヘッダ管１３ｂに接続されたクランクアーム３５ｂに伝達され、ヘッダ管１３ｂをその長さ方向の軸の周りに回転させる。上述のように、コネクティングロッド３４ａとコネクティングロッド３４ｂとは、互いに逆方向に移動するため、その動きに対応して、ヘッダ管１３ａの回転の方向とヘッダ管１３ｂの回転の方向とは、逆向きとなる。すなわち、第１の散水部１０ａのヘッダ管１３ａに接続された散水管１１ａ、１２ａが、例えば前方（すなわち、モータ３１から離れる方向）に移動するときには、第２の散水部１０ｂのヘッダ管１３ｂに接続された散水管１１ｂ、１２ｂは、後方（すなわち、モータ３１に近づく方向）に移動することになる。このように、第１の散水部１０ａと第２の散水部１０ｂとは、ヘッダ管１３ａ及びヘッダ管１３ｂの回転の位相が互いに２分の１周期分異なるように動作するため、それぞれの動作によって生じる負荷変動を平準化させることができる。
【００３３】
図１の実施形態においては、第１の散水部１０ａと第２の散水部１０ｂとは、ヘッダ管１３ａ及びヘッダ管１３ｂの回転の位相が互いに２分の１周期分異なるように動作するが、これに限定されるものでなく、例えばヘッダ管１３ａ及びヘッダ管１３ｂの回転の位相が互いに４分の１周期分異なるように動作してもよい。
【００３４】
また、図１の実施形態においては、クランク軸３３ａとクランク軸３３ｂとの位置関係が１８０度ずれるように構成されているが、これに限定されるものではない。例えば、クランク軸３３ａとクランク軸３３ｂとの位置関係をずらすのではなく、コネクティングロッド３４ａ及びコネクティングロッド３４ｂの長さを変え、クランクアーム３５ａの延びる方向とクランクアーム３５ｂの延びる方向とをヘッダ管１３ａの回転の位相とヘッダ管１３ｂの回転の位相とが２分の１周期分異なるように設定してもよい。
【００３５】
また、本実施形態においては、２つの散水部１０ａ、１０ｂが設けられているが、散水部の数はこれに限定されるものではなく、より多くの散水部を設けてもよい。例えば、４つの散水部を、それぞれのヘッダ管の長さ方向の軸が一直線上に位置するように配置し、４つの散水部の各々によって生じる負荷変動が平準化されるように、４つの散水部を独立に動作（例えば、４分の１周期分異なるようにずらして動作）させてもよい。
【００３６】
さらに、本実施形態においては、それぞれのヘッダ管１３ａ、１３ｂの長さ方向の軸が一直線上に位置するように配置された２つの散水部１０ａ、１０ｂのみが設けられているが、この形態に限定されるものではない。例えば、それぞれのヘッダ管の長さ方向の軸が一直線上に位置するように配置された２つの散水部を各々が有する２つのユニットを、それぞれのユニットのヘッダ管が平行になるように配置してもよい。
【００３７】
さらに、本実施形態においては、散水部１０ａ、１０ｂの各々は、それぞれ２本の散水管を有するが、これに限定されるものではなく、例えば各々の散水部が、３本以上の散水管を有するようにしてもよい。また、本実施形態においては、第１の散水部１０ａの散水管の数と第２の散水部１０ｂの散水管の数とは同数であるが、これに限定されるものではなく、それぞれの散水部１０ａ、１０ｂにおける散水管の数が異なっていてもよい。
【００３８】
また、給水管２１の数及び接続位置は、本実施形態の数及び位置に限定されるものではなく、例えば、ヘッダ管１３ａにおいて支持部４０ａに支持されている側の端部とヘッダ管１３ｂにおいて支持部４１ｂに支持されている側の端部とに、それぞれ別の給水管２１を接続してもよい。あるいは、ヘッダ管１３ａ、１３ｂのこれらの端部の各々に、１本の給水管２１から分岐させた給水経路を接続してもよい。
【００３９】
図２は、本発明によるスイング式散水装置を備えた貝類養殖かごの洗浄機の例を示す。図２（ａ）は、ネット状のコンベア上に配置されて移動する養殖カゴを洗浄する洗浄機の一例であり、図２（ｂ）は、上下ローラに挟まれて移動する養殖かごを洗浄する洗浄機の一例である。
【００４０】
図２（ａ）に示される洗浄機２は、一般にネットクリーナと呼ばれており、ネット状のコンベア２１の上に複数の養殖カゴが配置され、例えば図の左方向から右方向に向かって養殖かごが移動するようになっている。この移動する養殖カゴの上方に、本発明によるスイング式散水装置１が配置されており、ノズルが下方の養殖かごに対向するように配置された散水管から、洗浄水が噴射される。
【００４１】
図２（ｂ）に示される洗浄機２´は、一般にローラークリーナと呼ばれており、この洗浄機２´においては、養殖かごは、対向して配置されたローラ２１´ａ〜２１´ｄとローラ２２´ａ〜２２´ｄとの間に挟まれながら、例えば図の左方向から右方向に向かって移動するようになっている。養殖かごは、移動するにつれて、隣接するローラの対２１´ａと２２´ａ、２１´ｂと２２´ｂ、２１´ｃと２２´ｃ、及び２１´ｄと２２´ｄの間において露出する。移動する養殖カゴの上方に、本発明によるスイング式散水装置１が配置されており、ローラ対の間に位置するように配置された散水管のノズルから、ローラ対の間において露出した養殖かごに向けて、洗浄水が噴射される。
【符号の説明】
【００４２】
Ｗ 洗浄水
１ スイング式散水装置
１０ａ  第１の散水部
１１ａ、１２ａ  散水管
１１１ａ，１２１ａ  連通端部
１１２ａ，１２２ａ  ノズル
１３ａ  ヘッダ管
１０ｂ  第２の散水部
１１ｂ、１２ｂ  散水管
１１１ｂ，１２１ｂ  連通端部
１１２ｂ，１２２ｂ  ノズル
１３ｂ  ヘッダ管
２０  給水部
２１  給水管
２２  自在継手
３０  駆動機構
３１  モータ
３２ａ、３２ｂ  クランク円板
３３ａ、３３ｂ  クランク軸
３４ａ、３４ｂ  コネクティングロッド
３５ａ、３５ｂ  クランクアーム
４０ａ、４０ｂ、４１ａ、４１ｂ  支持部
２  貝類養殖カゴの洗浄機
２１ ベルトコンベア
２´   貝類養殖カゴの洗浄機
２１´ａ〜２１´ｄ 上側ローラ
２２´ａ〜２２´ｄ 下側ローラ
【図１】
2019024337.tif 000003
【図２】
2019024337.tif 000004